(57)【要約】【課題】  インターネット上の記憶装置を低価格で壊れないメモリファイルとしてだれでも利用できるようにする。【解決手段】  オンラインストレージサーバにおいて、ユーザが記録したい個人メモリの記録してから再生できなくなるまでの記録保持期間を一定とし、サーバが受け付けた一つの個人メモリに唯一の受付時刻情報を発行し、受付時刻情報の時刻の順番に記憶装置のアドレス順に個人メモリを記憶装置に記録し、再生時、サーバはユーザから送信された受付時刻情報により記憶装置から個人メモリを読み出し返信する。【選択図】  図１
2006215931.tif 000002
【特許請求の範囲】
【請求項１】
ネットワークを介してインターネット上の記憶装置を多数ユーザが利用できるサーバにおいて、前記ユーザからの書き込み個人メモリが記録してから再生できなくなるまでの記録保持期間を一定とする外部記憶装置と、前記サーバが前記個人メモリの書き込み受け付け順に唯一の時刻となる記録受付時刻情報を発行し、前記記録受付時刻情報の時刻順に前記外部記憶装置のアドレスの順番に前記個人メモリを前記外部記憶装置に記録すると共に、前記個人メモリの前記記録受付時刻情報と記録時の前記外部記憶装置のアドレスを対応させ記憶し、前記ユーザに前記記録受付時刻情報を返信し、前記ユーザから送信される前記記録受付時刻情報により前記外部記憶装置から個人メモリの読み出しを行うコンピュータ処理部とを備えることを特徴とするインターネット個人メモリサーバ。
【請求項２】
前記外部記憶装置は一定記録保持期間を３日、１月、１年、３０年の四者にし、前記３日と前記１月の外部記憶装置をハードディスク記憶装置にして、前記３０年の外部記憶装置を光ディスク記憶装置にすることを特徴とする請求項１に記載のインターネット個人メモリサーバ。
【請求項３】
前記外部記憶装置はバックアップ複製を一つは前記外部記憶装置の近傍に、他は互いに遠く離れた国内外のインターネット上に複数設置することを特徴とする請求項１と請求項２に記載のインターネット個人メモリサーバ。
【請求項４】
インターネット上の記憶装置を多人数ユーザが利用できるサーバにおいて、前記サーバのドメイン名をＵ、前記ユーザが記録したい個人メモリ情報をＤ、前記ユーザが前記Ｄの特徴を現わす情報とともに前記サーバが記録時に実行すべき命令を含ませた情報をＫ、前記Ｄの記録してから再生できなくなるまでの期間が一定にされた一定記録保持期間情報をＨ、前記ユーザが前記サーバに前払いした電子マネー情報をＭとし、記録時においては、前記ユーザが前記サーバに送信したＵＭＨＫＤを受信する手段と、前記サーバが受信した当該ＵＭＨＫＤに対し、同一Ｈにおいて、受け付け順に唯一の時刻となる記録受付時刻情報Ｔを発行する手段と、前記サーバが前記Ｄをデータとして前記記録時に実行すべき命令を実行した結果を当該Ｄとして前記サーバが時刻Ｔの順番に外部記憶装置のアドレスＡの順に当該Ｄを前記外部記憶装置に記録する記録手段と、当該Ｄの満期までの記録に掛かる費用に前記命令の実行費用を上乗せした記録時料金情報Ｗと記録した当該Ｄを一回読み出すときに掛かる費用の再生時料金情報Ｒを発行する手段と、前記Ｍは前記記録時料金Ｗを引き落とした情報（Ｍ−Ｗ）とし、前記Ｔと前記Ｒを付け加えたＵ（Ｍ−Ｗ）ＨＴＫＲＤを前記ユーザに返信通知する手段と、前記サーバが多数の前記Ｕ（Ｍ−Ｗ）ＨＴＫＲＤ群に対し、同一Ｈにおいて、ＴＫＲに前記Ｄ記録時に使った外部記憶装置のアドレスＡを添えてＴＫＲＡとし、Ｔの時刻順に並べたＴＫＲＡテーブルを作成格納する手段と、再生時においては、再生時に実行する命令プログラム情報をＰとし、あるユーザが前記サーバに送信したＵＭＨＴＫＲＰを受信する手段と、前記サーバは、受信した前記ＵＭＨＴＫＲＰのＴＫＲに対し、同一Ｈにおいて、前記ＴＫＲＡテーブルのＴＫＲ部分と照合し、合致したならば前記ＴＫＲＡテーブルからＡを読み出し、 前記外部記憶装置のアドレスＡにより前記外部記憶装置の記録媒体から前記Ｄを読み出し、前記Ｄをデータとして前記Ｐの命令プログラムを実行した結果を前記Ｄとして、前記再生時料金Ｒに前記Ｐの命令実行費用を上乗せした料金をＳとし、Ｕ（ＭーＳ）ＨＴＫＲＰＤを前記あるユーザに返信し、合致せず失敗したならばエラー料金情報Ｅを発行し、Ｕ（ＭーＥ）ＨＴＫＲＰを返信する手段とを備えていることを特徴とするインターネット個人メモリサーバ。
【発明の詳細な説明】
【技術分野】
【０００１】
本発明は、インターネット上に個人メモリをストレージするためのオンラインストレージサーバに関する。
【背景技術】
【０００２】
オンラインストレージサービスではインターネット上に記憶装置を設置し、多人数がこれを利用することができるようになされている。
【０００３】
この記憶装置にハードディスクを使い、ユーザが利用契約したディスクメモリ領域を賃貸しするようになされている。
【発明の開示】
【発明が解決しようとする課題】
【０００４】
家庭内では個人メモリを記録保存する場合、長期保存は光ディスクやテープ記憶装置に、短期保存はハードディスク記憶装置にと安くなるように上手く使い分けている。しかしオンラインストレージサービスではハードディスク記憶装置しかなく長期保存メモリにおいては割高になってしまう。
【０００５】
ファイルの削除ができる賃貸しのディスクメモリ領域ではユーザは料金を節約するため領域容量が大きくならないように小さめの領域にすることからファイルの断片化が起こりやすく、ひどくなる。この断片化したファイルを連続にしたり、断片化が起こらないように削除領域を連続にしたりするディスクの最適化があるため、読み書き速度が低下しサーバの応答が悪くなったり、時には止まったり、ハードディスクの耐用年数が低下したりする。また削除と書き込みができるディスクメモリの完全なバックアップの難しさが加わってサーバ全体の費用が高くなってしまい、賃貸し料金が高くなる。
【０００６】
不用なファイルを簡単に削除できるようにしているため大事なファイルを誤操作やコンピュータウイルスで消失する可能性があり、昔から使われている紙の代わりにしにくい。
【０００７】
本発明は以上の点を考慮してなされたもので、すべての国民が平等に、メモリの壊れない記憶システムを安価に利用できる個人メモリサーバを提供し、文明の発達を促進しようとするものである。
【課題を解決するための手段】
【０００８】
かかる課題を解決するため本発明においては、オンラインストレージサーバにおいて、サーバのドメイン名をＵ、ユーザが記録したい個人メモリ情報をＤ、ユーザがＤの特徴を現わす情報とともにサーバが記録時に実行すべき命令を含ませた情報をＫ、Ｄの記録してから再生できなくなるまでの期間が一定にされた一定保持期間情報をＨ、ユーザがサーバに前払いした電子マネー情報をＭとし、記録時においては、ユーザがサーバに送信したＵＭＨＫＤを受信する手段と、サーバが受信した当該ＵＭＨＫＤに対し、同一Ｈにおいて、受け付け順に唯一の時刻となる記録受付時刻情報Ｔを発行する手段と、サーバがＤをデータとして記録時に実行すべき命令を実行した結果をＤとしてサーバが時刻Ｔの順番に外部記憶装置のアドレスＡの順にＤを外部記憶装置に記録する記録手段と、Ｄの満期までの記録に掛かる費用に命令の実行費用を上乗せした記録時料金情報Ｗと記録したＤを一回読み出すときに掛かる費用の再生時料金情報Ｒを発行する手段と、Ｍは記録時料金Ｗを引き落とした情報（Ｍ−Ｗ）とし、ＴとＲを付け加えたＵ（Ｍ−Ｗ）ＨＴＫＲＤをユーザに返信通知する手段と、サーバが多数のＵ（Ｍ−Ｗ）ＨＴＫＲＤ群に対し、同一Ｈにおいて、ＴＫＲにＤ記録時に使った外部記憶装置のアドレスＡを添えてＴＫＲＡとし、Ｔの時刻順に並べたＴＫＲＡテーブルを作成格納する手段と、再生時においては、再生時に実行する命令プログラム情報をＰとし、あるユーザがサーバに送信したＵＭＨＴＫＲＰを受信する手段と、サーバは、受信したＵＭＨＴＫＲＰのＴＫＲに対し、同一Ｈにおいて、ＴＫＲＡテーブルのＴＫＲ部分と照合し、合致したならばＴＫＲＡテーブルからＡを読み出し、外部記憶装置のアドレスＡにより外部記憶装置の記録媒体からＤを読み出し、ＤをデータとしてＰの命令プログラムを実行した結果をＤとして、再生時料金ＲにＰの命令実行費用を上乗せした料金をＳとし、Ｕ（ＭーＳ）ＨＴＫＲＰＤをあるユーザに返信し、合致せず失敗したならばエラー料金情報Ｅを発行し、Ｕ（ＭーＥ）ＨＴＫＲＰを返信する手段とを設ける。
【発明の効果】
【０００９】
記録するメモリファイルの記録保持期間が一定であれば、記録媒体上のファイルを再配置移動させる最適化の必要がなく、記録時点でメモリが満期までに使用する資源エネルギー消費量を精確に算出でき、ユーザが納得しやすい低料金で課金できる。さらに簡単に完全で素早いバックアップができるため、記憶装置部品を壊れるまで使い装置寿命を延ばしたり、最先端の開発中の高記録密度の記憶装置を容易に導入できたり、装置費用を低減でき、低料金にできる。
【００１０】
一定記録保持期間が長期のメモリに対しては、光ディスク記憶装置を設置すればハードディスク記憶装置よりもはるかに安くでき、一定記録保持期間に比例したメモリ料金体系であるから、短期ほど大量に使う傾向のユーザはメモリ総費用を十分の一まで簡単に下げることができる。
【００１１】
記録したメモリに対して削除操作がなく、バックアップも完全なためメモリの安全性は印刷と比べて同等以上となり、しかも読み出しキーアドレスの中に時刻情報が含まれているため、加齢が分かり、時効の証拠にできる紙の書類よりも優れていて、紙の代わりになる。
【００１２】
記録時にデータ圧縮命令を実行しメモリ容量を小さくして記録したり、再生時に解凍プログラム命令や部分読み出し命令を実行することができることから、安い端末でもメモリ料金を最低にすることができ、だれでも、どこでも、いつでも、安価に高性能コンピュータを利用することができる。
【発明を実施するための最良の形態】
【００１３】
図１は、オンラインストレージの全体構成図である。
【００１４】
図１において、個人メモリサーバーコンピュータ１１は、不特定多数ユーザ２１、２Ｎのインターネット３０への接続回線の光ファイバが集結する電話局の近傍に設置されて不特定多数ユーザ２１、２Ｎと高速通信が常にできるようになされている。またインターネットへのアクセスができるようになされているため不特定多数ユーザ２１、２Ｎがどこにいてもインターネット３０を経由した通信ができるようになされている。
【００１５】
不特定多数ユーザ２１、２Ｎは個人メモリを記録するとき、個人メモリサーバーコンピュータ１１のドメイン名ををＵ、記録したい個人メモリをＤ、記録してから再生できなくなるまでの期間が３日、１月、１年、３０年のどれか一つを選んだ一定記録保持期間情報をＨ、Ｄの特徴を現わす情報をＫ、個人メモリサーバーコンピュータ１１に１円で１，０００電子通貨単位になる前払いした電子マネー情報をＭとして、ＵＭＨＫＤを個人メモリサーバーコンピュータ１１に送信する。
【００１６】
そして個人メモリサーバーコンピュータ１１は、不特定多数ユーザ２１、２Ｎが送信し、受信した多数のＵＭＨＫＤに対し、同一Ｈに西暦２，０００年を起点に1ミリセカンドを単位とする一つの現在時刻に一つ以下になるように順に受け付け、一つのＵＭＨＫＤに対し同一Ｈにおいては唯一の時刻となる記録受付時刻情報Ｔを発行するようになされている。
【００１７】
個人メモリサーバーコンピュータ１１は、Ｈが３日、１月、１年、３０年に対し、ハードディスクによる三日メモリ装置１２、ハードディスクによる一月メモリ装置１３、ハードディスクによる一年メモリ装置１４、光ディスクによる三十年メモリ装置１５をそれぞれに外部記憶装置として割り当て設置し、各メモリ装置のメモリ空間は図２に示すディスクが直列に連続したアドレスになるようになされている。
【００１８】
そこで個人メモリサーバーコンピュータ１１は、このような図２に示すメモリアドレス空間にＤの受付時刻Ｔの順番にＤを記録するようになされていて、受付時刻Ｔにアドレスが対応することになり、図２に示す満期前再生領域に属する受付時刻Ｔに対応するアドレスからＤを再生できる。
【００１９】
また各メモリ装置のメモリ空間では図２に示すように一度記録したメモリは移動されることがなく再生期間を経て満期時点で不用になる単純な構成であることから複製が簡単に完全にでき、しかも並行多重動作になるから、故障やメンテナンス時でも停止しなくてもよい。図１に示す三日メモリ装置１２、一月メモリ装置１３、一年メモリ装置１４、三十年メモリ装置１５はそれぞれのバックアップメモリを近傍に設置動作させ、２重にし、より素早い復帰ができるようになされている。さらに電話局が破壊されるような大災害が起こることを考慮して、バックアップメモリの複製としてインターネット上の互いに遠く離れた国内外に２台のバックアップメモリ装置１６を設け、４重になるようになされている。バックアップメモリにはアクセスは遅いが読み出し速度が速く、メモリ単価の安いテープメモリが使われる。  そしてユーザが家庭内で記録媒体を保管するよりもサーバで一括保管し、さらに世界中に分散保管する方が安全であり、人類が滅亡するとき壊れるメモリ、つまり壊れないメモリにできる。
【００２０】
次に個人メモリサーバーコンピュータ１１は、Ｄの満期までの記録に掛かる費用に応じた記録料金Ｗと記録したＤを一回読み出すときに掛かる費用に応じた再生料金Ｒを決定する。Ｄのメモリ容量を１メガバイトで割り、整数の商に基本料金を付加するために１０を加えた数を取扱量とし、Ｈが３日、１月、１年に対し２、１１、１２３を割り当ててメモリの単価係数とし、この単価係数と取扱量の積を電子通貨単位で表す記録料金Ｗとし、再生料金ＲはＨが３日、１月、１年に対し１の単価係数を取扱量に掛けて算出する。Ｈが３０年の三十年メモリ装置１５においては、ハードディスクならばメモリの単価係数は３，６９０となってしまうが、光ディスクでは、ハードディスクと違い、記録媒体と記録再生部が分かれていてメモリ単価を下げやすく記録時のメモリの単価係数を１００とすることができ、再生時の方は、ディスク交換動作を伴いアクセスに時間がかかるため、単価係数を１０として算出する。
【００２１】
このようにユーザが送信し、受信したＵＭＨＫＤに対し、受付時刻情報Ｔと記録料金Ｗと再生料金Ｒを決定した個人メモリサーバーコンピュータ１１は、送信したユーザに、Ｍは記録料金Ｗを引き落とした情報（Ｍ−Ｗ）とし、ＴとＲを付け加えたＵ（Ｍ−Ｗ）ＨＴＫＲＤを返信通知するようになされている。
【００２２】
さらに個人メモリサーバーコンピュータ１１は、記録したＤを間違いなく読み出すため、多数のＵ（Ｍ−Ｗ）ＨＴＫＲＤ群に対し、同一ＨにおいてＴＫＲに前記Ｄ記録時に使った前記外部記憶装置のアドレスＡを添えてＴＫＲＡとし、Ｔの時刻順に並べたＴＫＲＡテーブルを作成格納するようになされている。
【００２３】
次にあるユーザが個人メモリサーバーコンピュータ１１にＵＭＨＴＫＲを送信し、個人メモリサーバーコンピュータ１１が受信したＵＭＨＴＫＲのＴＫＲに対し、同一ＨのＴＫＲを記録したテーブルと照合し、合致したならば Ｄ記録時に発生した外部記憶装置のアドレスにより外部記憶装置の記録媒体からＤを読み出すようになされている。そしてＵＭＨＴＫＲを送信したあるユーザにＭは再生料金Ｒを引き落とした情報（Ｍ−Ｒ）とし、Ｄを付け加えたＵ（ＭーＲ）ＨＴＫＲＤを返信するようになされている。
【００２４】
ここで、ＴＫＲを記録したテーブルと照合し、合致せず失敗したときエラー料金情報Ｅを発行し、ＵＭＨＴＫＲを送信したあるユーザに、Ｍはエラー料金Ｅを引き落とした情報（Ｍ−Ｅ）とし、エラー料金情報Ｅを加えたＵ（ＭーＥ）ＨＴＫＲを返信するようになされている。これは再生のアドレスを知らない第三者がメモリファイルを無理やり読み出そうとしても１キロバイトの長さのＴＫＲを合致させることは不可能に近く、莫大な料金が掛かるようになっている。ユーザが送信する記録時のＵＭＨＫＤや再生時のＵＭＨＴＫＲのＭがＥより小さい場合は個人メモリサーバーコンピュータ１１が受信せず、ＭがＥより大きい場合でも受信後、記録前に（Ｍ−Ｗ）や再生前に（Ｍ−Ｒ）が負になる場合も、Ｕ（ＭーＥ）ＨＴＫＲを返信して、個人メモリサーバーコンピュータ１１に損が発生しないように、無駄な負荷が掛からないようになされている。
【００２５】
次にユーザが記録時と再生時それぞれに個人メモリサーバーコンピュータ１１を使ってＤをコンピュータ処理できるようになされている。記録時においては、ユーザがＫに個人メモリサーバーコンピュータ１１が実行すべき命令を含ませ、個人メモリサーバーコンピュータ１１が記録前にＤをデータとして命令を実行した結果をＤとして記録し、Ｄの満期までの記録に掛かる費用に命令実行費用を上乗せして記録料金Ｗとし、再生時においては、あるユーザが命令プログラム情報をＰとし、個人メモリサーバーコンピュータ１１にＵＭＨＴＫＲＰを送信し、受信した個人メモリサーバーコンピュータ１１が読み出したＤをデータとして、Ｐの命令プログラムを実行した結果をＤとして、記録時に決定した再生料金ＲにＰの命令実行費用を上乗せした料金をＳとし、Ｕ（ＭーＳ）ＨＴＫＲＰＤを返信するようになされている。
【００２６】
ここでＰの命令プログラムは、ほとんど個人メモリサーバーコンピュータ１１が保有し、ユーザはプログラム名称を指定し、簡単なパラメータ設定をするだけで済むようになされている。
【実施例】
【００２７】
みんなが三日メモリ装置１２を利用することにより著作権侵害の問題が起こりにくくなったり、一人当たりの資源エネルギー消費量を減らすことができる。個人メモリＤの特徴を現わす情報Ｋの中に、記録すべき個人メモリＤがインターネット上にあり取ってくるようにとの命令があるとき、個人メモリサーバーコンピュータ１１は、個人メモリＤが示すインターネット上のコンテンツのアドレスにより直接ダウンロードし、三日メモリ装置１２に記録することができる。１０ギガバイトの映画一本分を三日メモリ装置１２に記録すると記録料金は２０円で安く、１ギガバイトごとに分割されても０．２円高くなるだけで、ユーザの家庭内には１ギガバイトの小さなバッファメモリ装置だけで済み、著作権を侵害しやすい大容量の記憶装置がなくなりすっきりする。そしてテレビ番組録画ではユーザは、すべての放送番組の録画から取ってくることができる個人メモリサーバーコンピュータ１１に命令し、見たい番組を三日メモリ装置１２に直接記録することができ、家庭内に録画のためのレコーダもいらなくなる。また新聞においては１ページを１０メガバイトの写真品質で三日メモリ装置１２に記録すると４銭で、５０ページでも２円で記録することができ、表示装置費を含めても新聞紙よりはるかに安く、家庭からやたら写真の多い新聞紙であってもなくすることができる。さらに個人メモリサーバーコンピュータ１１がいつでも世界中のあらゆる本を三日メモリ装置１２に記録することができるようにしておけば紙の本はなくなり、膨大な紙資源を節約することができる。
【００２８】
ここでインターネット上のコンテンツが有料の場合、個人メモリサーバーコンピュータ１１はコンテンツ料金と税込み手数料を記録料金Ｗに上乗せすれば、ユーザが個人メモリサーバーコンピュータ１１に前払いした電子マネー情報Ｍから引き落とされ、ユーザがコンテンツ料金を支払い購入したようになる。ユーザは明細が書き込まれた電子マネー情報Ｍを見ることによりコンテンツ名やコンテンツ料金を確認することができる。
【００２９】
そして個人メモリサーバーコンピュータ１１が、個人メモリＤに記録時にデータ圧縮命令を実行しメモリ容量を小さくして記録したり、再生時に解凍プログラム命令や部分読み出し命令を実行し、実行した結果をユーザに返信することができることから、簡単な端末でも記録する個人メモリＤの容量を小さくし、メモリ料金を安くすることができる。
【００３０】
さらに進んでメモリ単価の安い三日メモリ装置１２を記憶装置として、個人メモリサーバーコンピュータ１１が個人メモリＤを記録時と再生時にコンピュータ処理できることからパソコンがなく、安い端末でもパソコン以上の仕事ができる。
【図面の簡単な説明】
【００３１】
【図１】本発明の一実施の形態を示す全体構成図である。
【図２】一定記録保持期間メモリ装置のデイスク構成のメモリ空間を示す図である。
【符号の説明】
【００３２】
１１  個人メモリサーバーコンピュータ
１２  三日メモリ装置（バックアップメモリ付）
１３  一月メモリ装置（バックアップメモリ付）
１４  一年メモリ装置（バックアップメモリ付）
１５  三十年メモリ装置、（バックアップメモリ付）
１６  遠く離れたバックアップメモリ装置
【図１】
2006215931.tif 000003
【図２】
2006215931.tif 000004